(57)【特許請求の範囲】
【請求項１】
建物の外壁内に設けられて室内側と室外側を連通するダクト内に嵌挿される本体筒部と、本体筒部の室外側端面に支持部材を介して室外側に設けられる遮蔽部を備え、前記遮蔽部に外周縁から中心に向かうにしたがって前記室内側に厚みが増加する突形状部を設け、本体筒部の室外側端面と遮蔽部との空間でなる通風路を有し、通風路の一部に通風路の一部の通風を遮るカバー部を設け、前記カバー部の端辺と前記遮蔽部とでなる略Ｖ字状の領域になるように前記カバー部の前記遮蔽部側の周長部を前記本体筒部側の周長部より短くしたことを特徴とする換気用ベントキャップ。
【発明の詳細な説明】
【技術分野】
【０００１】
本発明は、住宅等の室内空気を室外に換気するときに、建物の外壁部分に設置される換気用ベントキャップに関するものである。
【背景技術】
【０００２】
従来、この種の換気用ベントキャップとして室内側に風雨の吹き込みを防止する遮蔽板を設けた換気用ベントキャップが知られている（例えば、特許文献１参照）。
【０００３】
以下、その換気用ベントキャップについて図６を参照しながら説明する。
【０００４】
図６に示すように、建物の壁１０１に設けられた通風口に装着され、室内１０２と室外１０３を連通する開口を有するダクト接続部１０４と、このダクト接続部１０４の室外１０３側に取り付けられる取付部１０５に前記ダクト接続部１０４の開口に連通する開口を有し、この取付部１０５の開口の周辺に複数の支脚１０６を設けた本体１０７と、この本体１０７の支脚１０６に取り付けられた風雨侵入防止の防風板１０８とで構成され、壁１０１に取り付けられた時、前記本体１０７の上方部となる箇所に整流手段１０９を設けている。
【先行技術文献】
【特許文献】
【０００５】
【特許文献１】特開平１１−１３２５１３号公報（段落００８、図８）
【発明の概要】
【発明が解決しようとする課題】
【０００６】
このような従来の換気用ベントキャップにおいて、特許文献１に記載された換気用ベントキャップでは、換気をすると、取付部１０５の開口から排出される排気流１１２は開口の正面にある防風板１０８に当り、防風板１０８と本体１０７の間から上下左右に排出される。本体１０７の上部へ流れる排気流１１２は上方に整流手段１０９が設けられているため、排気流１１２は整流手段１０９の先端で絞られるとともに整流手段１０９の上面付近の空間部１１０が負圧になって、排気流１１２はこの空間部１１０に巻き込まれて上方への吹出しが弱くなって流れ、軒下の天井１１１に届かず、軒下の天井１１１を汚すのをいくらかは低減できるが、防風板１０８の上方部において、軒下の天井１１１に対し垂直に向かう風が発生しているため、換気用ベントキャップが軒下の天井１１１の近くに設置されたときは、防風板１０８に当たり軒下の天井１１１に垂直に向かう排気流１１２によって軒下の天井１１１が汚れてしまう。
【０００７】
また、整流手段１０９が防風板１０８の外周より内側に位置しているため、空間部１１０に風が巻き込まれる現象が発生し、排気流１１２は壁１０１ａに向かっても流れ、換気用ベントキャップの上方の壁面１０１ａが汚れてしまうという課題があった。
【０００８】
そして、近年、マンション等に設置される換気用ベントキャップにおいて、その設置位置は軒下の天井１１１近傍に設置されることが多くなってきている。そのため、室内１０２の換気をする際に、換気用ベントキャップから排出される排気流１１２が汚れていると、軒下の天井１１１に垂直に向かう排気流１１２によって、軒下の天井１１１が汚れてしまうという事態が起こっていた。このような従来の換気用ベントキャップにおいては、換気用ベントキャップを軒下の天井１１１の下側近傍の壁１０１ａに設置する場合、換気用ベントキャップから排出される排気流１１２によって壁１０１ａおよび軒下の天井１１１が汚れてしまうという課題を有していた。
【０００９】
そこで本発明は、上記従来の課題を解決するものであり、換気用のベントキャップを軒下の天井の下側近傍の壁に設置する場合、換気用ベントキャップから排出される空気によって壁および軒下の天井が汚れることを防止することができる換気用ベントキャップを提供することを目的とする。
【課題を解決するための手段】
【００１０】
そして、この目的を達成するために、本発明は、建物の外壁内に設けられて室内側と室外側を連通するダクト内に嵌挿される本体筒部と、前記本体筒部の室外側端面に支持部材を介して室外側に設けられる遮蔽部を備え、前記本体筒部の室外側端面と前記遮蔽部との空間でなる通風路を有し、前記通風路の一部に通風路の一部の通風を遮るカバー部を設け、前記カバー部の前記遮蔽部側の周長部を、前記本体筒部側の周長部より短くした、としたものであり、これにより所期の目的を達成するものである。
【発明の効果】
【００１１】
本発明によれば、カバー部の遮蔽部側の周長部を、本体筒部側の周長部より短くしたという構成にしたことにより、本体筒部から排出する空気は、遮蔽部に沿って放射状に広がり遮蔽部の外周からカバー部に沿って流れ、通風路の遮蔽部側の周長部の端部から主に吐き出され、反外壁側へ排出されることとなるので、換気用のベントキャップを軒下の天井の下側近傍の壁に設置する場合、換気用ベントキャップから排出される空気によって壁および軒下の天井が汚れることを防止することができるという効果を得ることができる。
【図面の簡単な説明】
【００１２】
【図１】本発明の実施の形態１の換気用ベントキャップの構成および風の流れを示す断面図
【図２】同換気用ベントキャップの構成および排気流の流れを示す斜視図
【図３】同換気用ベントキャップの設置状態を示す正面図
【図４】本発明の実施の形態２の換気用ベントキャップの構成および排気流の流れを示す断面図
【図５】本発明の実施の形態３の構成および排気流の流れを示す断面図
【図６】従来の換気用ベントキャップの構成を示す断面図
【発明を実施するための形態】
【００１３】
本発明の換気用ベントキャップは、建物の外壁内に設けられて室内側と室外側を連通するダクト内に嵌挿される本体筒部と、前記本体筒部の室外側端面に支持部材を介して室外側に設けられる遮蔽部を備え、前記本体筒部の室外側端面と前記遮蔽部との空間でなる通風路を有し、前記通風路の一部に通風路の一部の通風を遮るカバー部を設け、前記カバー部の前記遮蔽部側の周長部を、前記本体筒部側の周長部より短くしたという構成を有する。これにより、本体筒部から排出する空気は、遮蔽部に沿って放射状に広がり遮蔽部の外周からカバー部に沿って流れ、吹出口の遮蔽部側の周長部の端部から主に吐き出され、反外壁側へ排出されるとなるので、換気用のベントキャップを軒下の天井の下側近傍の壁に設置される場合でも、換気用ベントキャップから排出される空気によって壁および軒下の天井が汚れることを防止することができるという効果を奏する。
【００１４】
また、遮蔽部を、外周縁から中心に向かうにしたがって室内側に厚みが増加する突形状部を設けたという構成にしてもよい。これにより排気流は遮蔽部の外周縁から離れる際、外壁から離れる方向に流れるとなるので、換気用のベントキャップを軒下の天井の下側近傍の壁に設置する場合、ベントキャップから排出される空気によって壁および軒下の天井が汚れることを防止することができるという効果を奏する。
【００１５】
また、突形状部は、傾斜角度が異なる複数の円錐を複合してなり、内側の円錐は外側の円錐より鉛直方向に対する傾斜角度が小さいという構成にしてもよい。これにより、換気風量の低下を抑え、排気流を突形状部に沿わせるという作用効果を維持したうえで、突形状部の厚み寸法を最大限に薄くすることができる。また、外壁からの出代を少なくした薄型の換気用ベントキャップとするこができ、エクステリア性を向上させることができるという効果を奏する。
【００１６】
また、突形状部が複数の球面を複合してなるというという構成にしてもよい。これにより、排気流がその進行方向を本体筒部から遮蔽部側に向かう直進方向から遮蔽部の中心から、吹出口に向かう方向に滑らかに排気角度を換えることができ、換気風量の低下を抑えることができる。また、各々の球面の繋ぎ部はなだらかになり、稜線を生じさせないので、稜線部などに埃が溜まるという現象も起こらず、突形状部の表面をクリーンに保つことができ、商品自体の美観を保つこともできるという効果を奏する。
【００１７】
以下、本発明の実施の形態について図面を参照しながら説明する。
【００１８】
（実施の形態１）
図１〜図３に示すように、建物の外壁１内に設けられて室内２側と室外３側を連通するダクト４内に嵌挿される本体筒部５と、本体筒部５の室外側端面６に支持部材７を介して室外３側に設けられる遮蔽部８を備え、本体筒部５の室外側端面６と遮蔽部８との空間でなる通風路９を有し、通風路９の一部に通風路９の一部の通風を遮るカバー部１０を設け、図２に示すようにカバー部１０の遮蔽部８側の周長部１１ａ（遮蔽部８とカバー部１０とでなる陵）を、本体筒部５側の周長部１１ｂより短くしている。
【００１９】
また、図１に示すように、遮蔽部８には、外周縁１２から遮蔽部８の中心に向かうにしたがって室内２側に厚みが増加する突形状部１３を設けている。
【００２０】
上記構成において、換気をすると、室内２の汚れた空気である排気流１４はダクト４を通過して本体筒部５を通り、遮蔽部８付近に近づくと、遮蔽部８に設けている突形状部１３の面に沿って外周方向に流され、排気流１４が遮蔽部８の外周縁１２に位置する通風路９から出る際には、排気流１４は外周縁１２の角度成分θを維持したまま、外壁面１ａから離れる方向に向かって流れる。このため、室内２からの排出される空気が汚れていても、その排気流１４は遮蔽部８の外周縁１２に位置する通風路９から出る際に反外壁面１ａ側に流れ、排気流１４が外壁面１ａに当たらないので、排気流１４によって外壁面１ａが汚れるのを防止できることとなる。
【００２１】
また、室内２の汚れた空気が本体筒部５を通り、遮蔽部８の突形状部１３の面に沿って外周方向に流され、換気用ベントキャップ１７の天井２３側に設けたカバー部１０側に向かう排気流１５は、図２に示すようにカバー部１０の遮蔽部８側の周長部１１ａと遮蔽部８とでなる陵１６に沿ってカバー部１０の端辺１１ｃの両側に流れ、カバー部１０の端辺１１ｃと遮蔽部８とでなる略Ｖ字状の領域Ｓから室外３に排出される。
【００２２】
このとき、図２に示すようにカバー部１０に沿って流れる排気流１５の主流は略Ｖ字状の領域Ｓの遮蔽部８側の頂点Ｔの付近から先に室外３に排出されるため、排気流１５は反外壁１側に流れる。このように排気流１５は反外壁１側に流れる方向に誘引されるので、排気流１４、１５全体が外壁面１ａに当たらないため、外壁１が汚れるのを防止できる。
【００２３】
特に、換気用ベントキャップの左右の通風路９は、カバー部１０側の周長部１１ｂが遮蔽部側の周長部１１ａよりも短くなっているため、カバー部の端辺１１ｃは図２のように、位置されるので、室外側端面６に比べると遮蔽部８側がより多く排気流１４、１５が流れるような通風路９の構成となっている。その理由から、換気用ベントキャップ１７から排出される排気流１４、１５が外壁面１ａ側に向かわないのである。
【００２４】
また、通風路９の一部にカバー部１０を設けており、このカバー部１０の位置を換気用ベントキャップ１７の上部側に位置させることにより、図３に示すように換気用ベントキャップ１７が軒下の天井１８の近傍の設けられても、図１に示すように通風路９の上部がカバー部１０で塞がっているため、排気流１５が図３に示す天井１８側すなわち上方に流れることがないため、汚れた排気流が軒下の天井１８に当たらないため、軒下の天井１８が汚れるのを防止できる。
【００２５】
また、遮蔽部８には、外周縁１２から中心に向かうにしたがって室内２側に厚みが増加する突形状部１３を設けているため、排気流が通風路９から出るとき、突形状部１３の外周の角度θの角度に沿って流れることにより、反外壁側に流れるために、排気流が外壁１に流れないようにされている。θは３０°〜７０°の範囲であることが望ましい。
【００２６】
（実施の形態２）
実施の形態１と同じところには同じ符号とし、詳細な説明は省略する。実施の形態１と異なるところは実施の形態２である。
【００２７】
図４および図５に示すように、また、遮蔽部８Ａの突形状部１３Ａは傾斜角度が異なる複数の円錐１９Ａ、円錐１９Ｂを複合してなり、各々の円錐１９Ａ、円錐１９Ｂはその遮蔽部８Ａの面Ｆ（外壁面１ａと水平）に対する傾斜角度Ａ１，Ａ２が異なる角度で構成されており、ダクト４側の円錐１９Ｂの傾斜角度Ａ２は外側の円錐１９Ａの傾斜角度Ａ１より小さく形成されている。
【００２８】
上記構成において、排気流１４、１５が外壁１に向かうのを防止するためには、突形状部１３Ａの外周縁１２から離れる際の吹き出し角度θを大きくすることが望ましいが、外周縁１２の傾斜角度を大きくとると突形状部１３Ａの厚み寸法Ｂ（遮蔽部８のＦ面と突形状１３Ａの室外側端面６に一番近い箇所つまり中心部２０）が増大することとなり、厚み寸法Ｂが増大すると、中心部２０が本体筒部５の開口部２１を塞ぐようになり、これを回避するために外壁面１ａからの出代寸法Ｃ（外壁面１ａから遮蔽部８のＦ面間の距離）を大きくする必要がある。
【００２９】
本実施の形態２では突形状部１３Ａを２個の円錐１９Ａ、１９Ｂで構成されて、かつその内側の（突形状の中心側の）円錐１９Ｂの傾斜角度Ａ２が外側の円錐１９Ａの傾斜角度Ａ１よりも小さい角度としているので、排気流を突形状部１３Ａに沿わせるという作用効果を維持しつつ、突形状部１３Ａの厚み寸法を最大限薄くすることができる。排気流の流れは以下のとおりである。ダクト４内を流れる排気流１４、１５は円錐１９Ｂに近づくと、円錐１９Ｂの面に沿って、放射状に外側に流れ、そして、円錐１９Ａに達すると円錐１９Ａに沿って流れ、排気流１４、１５は外周縁１２の部位で換気用ベントキャップ１７から離れ、室外３に放出される。排気流１４、１５は外周縁１２の部位では角度Ａ１の方向成分を有しているので、排気流１４、１５が外壁１に向かうことがない。
【００３０】
換気用ベントキャップ１７の圧力損失は突形状部１３Ａの中心２０と室外側端面６との距離が広いほど良く（換気風量が多く流れるので良い）、また外周縁１２の角度Ａ１が大きいほど排気流１４、１５が外壁面１ａに対して離れる角度で排気できるため、外壁１の防汚効果が高くなる。（Ａ１の角度は最大７０°が望ましい）このため、突形状部１３Ａが複数の円錐を用いて構成されていることより、突形状の中心２０と室外側端面６との距離の適正な距離を持たせることで、換気風量の低下を抑え、また、外周縁１２の角度をより多くすることができるので、外壁１の防汚効果を高め、かつ、出代寸法Ｃを小さくすることができるので、薄型の換気用ベントキャップとなり、エクステリア性に優れた換気用ベントキャップを提供できる。なお、本実施の形態２では突形状部１３Ａを２つの円錐からなるものとしたが、３個以上の傾斜角度の異なる円錐を複合して構成しても、その作用効果に差異を生じない。
【００３１】
（実施の形態３）
実施の形態１、２と同じところには同じ符号を付し詳細な説明は省略する。実施の形態１、２と異なるところには詳細な説明は省略する。実施の形態１、２と異なるところは実施の形態３である。
【００３２】
図５に示すように、突形状部１３Ｂは曲率半径の異なる球面２２Ａ、球面２２Ｂを複合してなる。
【００３３】
上記構成において、室内から出た排気流１４、１５は突形状部１３Ｂの中心部２０に当たって外周縁１２まで流れる際に、突形状部１３Ｂが２つの球面２２Ａ、球面２２Ｂでなっているので、排気流が滑らかにその進行方向を直進方向Ｊから吹きだし方向Ｇに角度成分を変えることができ、換気風量の低下を抑えることができる。また、排気流１４、１５が換気用ベントキャップから離れる外周縁１２では、球面２２Ａの外周縁付近の角度Ｇで室外３側に流れるため、外壁１側に流れることがないので、外壁１が排気流によって汚れることがない。また、突形状部１３Ｂの表面は２つの球面２２Ａ、球面２２Ｂからなっているので、各々の球面２２Ａ、球面２２Ｂの繋ぎ部はなだらかになり、稜線を生じさせないので、稜線部などに埃が溜まるという現象も起こらないため、突形状部１３Ｂの表面をクリーンに保てることができ、商品自体の美観を保てることもできる。
【産業上の利用可能性】
【００３４】
本発明にかかるベントキャップは、排気流による外壁の汚れ防止ができるという効果を有し、建物の外壁に装着される屋外フード等に有用である。
【符号の説明】
【００３５】
１      外壁
２      室内
３      室外
４      ダクト
５      本体筒部
６      室外側端面
７      支持部材
８      遮蔽部
８Ａ    遮蔽部
９      通風路
１０    カバー部
１１ａ  周長部
１１ｂ  周長部
１２    外周縁
１３    突形状部
１３Ａ  突形状部
１３Ｂ  突形状部
１９Ａ  円錐
１９Ｂ  円錐
２２Ａ  球面
２２Ｂ  球面
【図１】
0005640683.tif 000002
【図２】
0005640683.tif 000003
【図３】
0005640683.tif 000004
【図４】
0005640683.tif 000005
【図５】
0005640683.tif 000006
【図６】
0005640683.tif 000007